(57)【要約】【課題】運転費用が少なくて済むスカム除去装置を提供すること。【解決手段】沈澱物を掻き寄せるため処理池内において循環駆動自在に装備された汚泥掻寄部材側の動きに連動する連動機構と、同連動機構の動きに応動して水面のスカムを堰き止めた状態と誘引する状態に交互に切り換える堰手段を備えたスカム誘引導出装置とを有するスカム除去装置において、前記連動機構は、汚泥掻寄部材側の軌道上に臨み汚泥掻寄部材側により一定の時間帯軌道外に押し退けられるカム部分と、該カム部分と前記堰手段側とを連動可能にする伝達部分とを有する連動部材と、少なくとも前記連動部材を汚泥掻寄部材側により上下運動可能に支持する案内支持手段を備えてなることを特徴とする。【選択図】図１
2008260007.tif 000002
【特許請求の範囲】
【請求項１】
沈澱物を掻き寄せるため処理池内において循環駆動自在に装備された汚泥掻寄部材側の動きに連動する連動機構と、同連動機構の動きに応動して水面のスカムを堰き止めた状態と誘引する状態に交互に切り換える堰手段を備えたスカム誘引導出装置とを有するスカム除去装置において、前記連動機構は、汚泥掻寄部材側の軌道上に臨み汚泥掻寄部材側により一定の時間帯軌道外に押し退けられるカム部分と、該カム部分と前記堰手段側とを連動可能にする伝達部分とを有する連動部材と、少なくとも前記連動部材を汚泥掻寄部材側により上下運動可能に支持する案内支持手段を備えてなることを特徴とするスカム除去装置。
【請求項２】
請求項１において、連動部材は、カム部分と伝達部分とが１本の連続杆状のものに形成されているスカム除去装置。
【請求項３】
請求項１または２において、支持する手段は、平行リンクよりなるスカム除去装置。
【請求項４】
請求項１または２において、支持する手段は、非平行リンクよりなるスカム除去装置。
【請求項５】
請求項１から４までのいずれかにおいて、連動部材は、それ自体あるいは同手段に付された掻寄手段の運動によりスカムをスカム誘引導出装置の方向に掻き寄せ得るようになっているスカム除去装置。
【発明の詳細な説明】
【発明の詳細な説明】
【技術分野】
【０００１】  この発明は、沈砂池、沈澱池、あるいは曝気槽等の処理池に浮遊するスカムを除去するためのスカム除去装置に関する。
【背景技術】
【０００２】  例えば、最初あるいは最終沈澱池の水面においては、上部に開口を開けたパイプを処理池に回転自在に横架してその軸心回りに往復回転させることで、開口が水面以下にくる時に水面のスカムを誘引し、開口が水面上に戻ることでスカムを堰き止め可能に構成したパイプスキマーを設置したり、あるいは、他の方式として、処理池の水面上下に樋状のトラフを固定式に横架し、同トラフの前に堰を浮沈運動可能に備えてその浮上によりスカムを堰き止め、沈下によりスカムを誘引するようにした固定トラフ式のスカム除去装置を構成することもある。パイプスキマーについても同様であるが、例えば、前記固定トラフ式のスカム除去装置では、堰を浮沈運動させるにあたって専用の駆動手段を構成することもある一方において、池内で循環運動するフライト（汚泥掻寄部材）の動力を利用するようにしたものがある。このフライト利用型のものは、フライトが循環して上回りにくるのに対応してその軌道にカムを臨ませておき、同カムにアームを付けて応動するようにしてこのアームの動きにより前記堰を浮沈させるようにしている。この形式では、フライトからの動力を利用するので専用の動力を要しないことで装置のトラブルが少なくなる等の点で有利である。
【発明が解決しようとする課題】
【０００３】  しかし、これまでの連動機構は、堰前方に回転支点を設け、同支点回りに前記アームの中間を支持し、同アームの前部にカムをまた後部を堰側に連動可能に連結して構成されている。すなわち、フライトがくるとカムを押し上げてアーム後部が押し下げられ、これにより、堰が押し下げられるようになり、堰は自らの浮上力やウエイトや前記アームの重さ等の復帰手段によりフライトがカムを通過後に戻されるように構成されている。こうした方式では、前記アームの前部が回転中心から片持状に延びているため、余り長く延ばすことができず、そのことから、同アーム前部に付されるカムの長さにも限界があり、フライト側との接触時間も短くなって堰を押し下げておく時間にも限界がでてくる。その結果、堰を押し下げておく時間が短いと、多くのスカムを有効に誘引するには堰を度々押し下げる必要があり、一定量のスカムを誘引・除去するのにフライトからの動力が多く消費されることになり、運転費用が多くかかるようになる。
【０００４】  この発明は前記課題を解決するためになされたもので、運転費用が少なくて済むスカム除去装置を提供することを目的とする。
【課題を解決するための手段】
【０００５】  前記課題を解決するため、請求項１記載の発明は、沈澱物を掻き寄せるため処理池内において循環駆動自在に装備された汚泥掻寄部材側の動きに連動する連動機構と、同連動機構の動きに応動して水面のスカムを堰き止めた状態と誘引する状態に交互に切り換える堰手段を備えたスカム誘引導出装置とを有するスカム除去装置において、前記連動機構は、汚泥掻寄部材側の軌道上に臨み汚泥掻寄部材側により一定の時間帯軌道外に押し退けられるカム部分と、該カム部分と前記堰手段側とを連動可能にする伝達部分とを有する連動部材と、少なくとも前記連動部材を汚泥掻寄部材側により上下運動可能に支持する案内支持手段を備えてなることを特徴とする。
【０００６】  請求項２記載の発明は、請求項１において、連動部材は、カム部分と伝達部分とが１本の連続杆状のものに形成されている。
【０００７】  請求項３記載の発明は、請求項１または２において、支持する手段は、平行リンクよりなる。
【０００８】  請求項４記載の発明は、請求項１または２において、支持する手段は、非平行リンクよりなる。
【０００９】  請求項５記載の発明は、請求項１から４までのいずれかにおいて、連動部材は、それ自体あるいは同手段に付された掻寄手段の運動によりスカムをスカム誘引導出装置の方向に掻き寄せ得るようになっている。
【発明を実施するための最良の形態】
【００１０】  以下、図示した実施形態を参照してこの発明を詳細に説明する。
図１ないし図３は、この発明の一実施形態を示すもので、これらの図の実施形態は、最初あるいは最終沈澱池についてのもので、１，１は左右の区成側壁で、同側壁１に直交する方向がこの処理池の長手方向となっている。この沈澱池内には、各図における左側から汚水が導入され、水面２上に浮上してくるものが図示しないスカムである。【００１１】  各図における３は中間軸で、同軸３は、この実施形態では後述するスプロケット４と同行回転する回転式になっているが、固定式であることもある。同軸３の他、同沈澱池内には駆動軸（上部）、テークアップ軸（底部）、従動軸（底部）があり、合計４本の軸が回転軸あるいは固定軸として設けられ、４軸式を構成する。【００１２】中間軸３の外周には、軸方向中間を中心にして対称的にスプロケット４が従動自在に配備され、同スプロケット４の上回りを通るように左右１対をなすチェーン５が掛けられている。【００１３】  左右のチェーン５には、前後に一定の間隔をおいてフライト（汚泥掻寄部材）６．．．が配備されているとともに、同フライト６．．．付のチェーン５は、それが上回りにきたときに水平に設置されたガイドレール７により案内される。このガイドレール７は、前記駆動軸側のスプロケットから中間軸３側のスプロケット４間に渡るように設けられている。フライト６．．．の側端には、その全てでなく１つ置きにブラケット８が装着され、このブラケット８を介してフライト６の一側に突き出すようにローラー９が遊転自在に装備されている。【００１４】  一方、スカム誘引導出装置１０は、各側壁１に挿通固定された四角断面の連通パイプ１１と、同パイプ１１相互間に止着具による接続で横架固定されたトラフ（広い意味ではスカム受出樋）１２とを備える。トラフ１２と連通パイプ１１とは相互に連通している。尚、同トラフ１２に代えて開口付の丸パイプを前後に回転自在にするスキマーパイプ（広い意味ではスカム受出樋）を横架し、同パイプから回転を連動するレバー等の部材を突設する方式にしてもよい。また、連通パイプ１１は、Ｕ形の樋状のものにしてもよい。【００１５】  トラフ１２は、図１に示すように、上方が開口するとともに前側部である一側部のみを切欠状にして水面２よりも低く形成した側方視Ｊ字形をなすもので、前記切欠状の前側部には、左右両端部に軸受を配備し、同軸受に回転支持軸１３が回転自在に支持された状態で堰１４がトラフ１２の向きに斜めに突出するようにして設けられている。堰１４は、長円で中空状の断面形状をしてその両端を側板１５で閉止したもので、それ自体が浮力を発生する浮体になっている。板状の堰であったり、同板状の堰にフロートを付したものであることもあり、さらにバランサにより浮上可能にしてもよい。【００１６】  同堰１４とトラフ１２との間は、ゴム等の弾性材料により形成された前部シール１６で堰１４に回転を許す形で密閉されている。同シール１６に代えて、トラフ１２からゴム板状のものを前方へ突き出し、同ゴム板の前端に堰を付してゴム板の弾性変形により堰が上下運動しかつシール機能も果たすように構成することもある。この場合、前記回転支持軸１３は不要である。【００１７】  堰１４の側板１５とトラフ１２側との間には、側部シール１７が前からの水が浸入しないように設けられている。このシール１７は、トラフ１２側に装着されて側板１５には摺動するようになっているが逆の関係にしてもよい。【００１８】  堰１４は、図１及び図２の状態で３５°〜４５°の角度をもってトラフ１２内に向けて斜めに起き上がってその上端が水面２よりも高くなっており、これにより、水面２上のスカムが堰き止められる。一方、同堰１４は、図３のように、トラフ１２内に倒れ込むことでその上端が水面２よりも下がり、これにより、水面２上のスカムが多少の水とともにトラフ１２内に誘引されるようになる。尚、トラフ１２の長手方向は、完全に水平でなく、誘引したスカム及び水を図２の下向きあるいは逆向きに流れ勝手になるように底面が極微小に傾斜している。【００１９】  スカム除去装置は、前記スカム誘引導出装置１０に組み合わされる連動機構２０を有する。同機構２０は、図２に示すように、フライト６．．．の移動する軌道の一側方に通常空いているスペースを利用して設けられている。この連動機構２０は、一方の側壁１の前後（図１の左側が前側とする）に移動調節可能（長孔やばか孔等による）に固定された２個の取付板２１を備え、同取付板２１には水平な固定軸２２が突設され、その外周に回転受筒２３がスペーサを兼ねて設けられているとともに、固定軸２２の先端には、案内支持手段である平行リンクを構成する前リンク２５及び後リンク２６が前後をなして揺動可能に設けられている。尚、前側のリンク２５は後側のリンク２６よりも少し低く設定されている。また、取付板２１の前側のもの（後側に設けたり前後両側に設けてもよい）には、リンク２５を戻った位置で止める下限ストッパ２８と上限ストッパ２９とが突設されている。その一方で、前リンク２５には、両ストッパ２８，２９に交互に当たるように上向きに当たり片３０が設けられている。両リンク２５，２６は、垂直線に対して３０°程度に戻されるようになっているが、その他の角度、例えば、垂直や１５°、４５度に戻されるようにしてもよい。【００２０】  ３２は連動部材で、同部材３２は、図４に示すように、ｓｕｓ等の金属又は樹脂その他による四角パイプでなり、前側がカム部分３３で後側が伝達部分３４になっている。カム部分３３は、図１に示すように、ローラー９の軌道上に対応するようにした水平な杆部を保持カム部３３ａとして備え、その前端にはソリの前端部のように湾曲状に反り上がってローラー９に対向状をなす押し上げカム部３３ｂを備える。押し上げカム部３３ｂは、保持カム部３３ａに対しＬ形をなすような垂直な面を有するものにしてもよい。尚、カム部分３３は、その水平長さを図１のものより長くあるいは短く形成することがある。長くする場合は、前記ガイドレール７と程同様の長いものにしたり、あるいはその２／３や１／２等にすることができる。その逆にカム部分３３を図１の半分長さ前後にすることもできる。因みに、図１のカム部分３３は、ガイドレール９に対し１／３程度の長さになっている。また、カム部分３３は、水平に長く形成してあるが、その長手方向一部を１段階あるいは複数段階に分けて凹み状に形成して一時的に堰１４を少し下げるように作動させるように構成することもできる���逆に、凸部を形成してスカムの誘引量を増大させるようにすることもある。更に、凹みと凸部とを組み合わせて配備することもある。【００２１】  保持カム部３３ａは、常時水平を保ちながら上下する。伝達部分３４は、カム部分３３と一体に形成されて、スカム誘引導出装置１０へ向けて緩やかに上がり傾斜している。伝達部分３４の基部である上がり傾斜した根本部分３４ａは、図３に矢印で示すようにチェーン５がガイドレール９からスプロケット４に乗り上がる際にローラー９もそれに応じた動きをすることから、その動きが連動部材３２に伝わらないように逆に連動部材３２側である根本部分３４ａを逃がすように傾斜状に形成したものである。尚、伝達部分３４全体を傾斜形成してあるが、前記根本部分３４ａのみを傾斜状に形成し、他の部分は水平あるいは垂直等の自由な形状を採るようにしてもよい。【００２２】  伝達部分３４のスカム誘引導出装置１０側の端部は、同装置１０の上端程度に持ち上がっており、同端部には、連動カム体３６が移動調節可能に取り付けられている。このカム体３６は、下向きに開口するカム溝３６ａが形成されており、同溝３６ａには、一方の側板１５の外側面に突設した軸３７の外周の水平なカムローラー３８が連動可能に嵌まり込んでいる。【００２３】  図１に示すように、下限ストッパ２８に当たり３０が当たることで前リンク２５及び後リンク２６は垂直に対して３０°程度に傾いて静止しており、それとともに、連動部材３２は、丁度ローラー９の軌道上にくる高さに静止している。この状態で堰１４は水面２より上側にその上端部が浮上して堰き止め状態になっている。尚、この状態でカム部分３３は水面２より没している。ローラー９が循環して上回りにきて右向きに移動することで、同ローラー９は先に押し上げカム部３３ａにさしかかってこれを押し上げる。その押し上げ作用は、カム部分３３ａが湾曲していることで緩やかになされる。尚、更に緩やかな動きにするには、湾曲の曲げ半径を大きくとったり、あるいは傾斜面である場合には角度を充分に寝せるようにする。【００２４】  押し上げカム部３３ａが持ち上がることで連動部材３２全体が両リンク２５，２６の案内支持により図３のように平行を保ったまま持ち上がる。この際、カム溝３６ａがカムローラー３８を押し上げるようにするので、側板１５を介して堰１４は水面２以下に下がるようになり、スカムと少しの水がトラフ１２内に誘引されるようになる。図３において、連動部材３２のスカム誘引導出装置１０側の端部をトラフ１２側のフランジに当たるようにしてストッパとして構成してもよい。図３においては、少しの隙間を残すようにしてある。【００２５】  ローラー９がカム部分３３を通り過ぎると、連動部材３２はその自重により下がり、堰１４は浮上してゆく。この場合の堰１４の浮上力を大きく得るため、連動部材３２にウエイト（移動調節式）を付加してもよく、また、連動部材３２やリンク２５，２６にバネを付加して戻りやすいようにしてもよい。【００２６】  尚、連動部材３２は、前後を複数に分けて形成し現場で連結するようにしてもよい。また、カム部分３３のみをリンク２５，２６で吊り下げ、伝達部分３４は軸で連動自在に連結してもよい。この場��、伝達部分３４は平行リンクで支持する方式とリンクなしでスカム誘引導出装置１０側に一端を連結する方式とがある。【００２７】  尚、図３に仮想線で示すように、連動部材３２には、側方からみてのこ歯状のスカム寄せ手段３９を装備し、次第に浮上しながら装置１０の向きに動くことでスカムをスカム誘引導出装置１０側に押し寄せ、沈みながら復帰することでスカムの掻き戻しが少なくなるように構成することができる。こうしたノコ歯状のスカム寄せ手段は、連動部材３２のカム部分３３上側あるいは側面に備えてもよい。連動部材３２には、側壁１の面を擦る手段を付することもある。連動部材３２は、池の左右に配してもよい。尚、連動部材３２は、特にカム部分３３は、長手方向に伸縮調節可能にすることができる。【００２８】  図５は、連動部材３２を丸パイプにした実施形態を示す。また、三角形の長尺物を使用することもできる。この場合、三角形の一面が底面にくるようにしたり、頂点が底側にくるようにすることができる。連動部材３２は、他の幾何学形状の断面にすることができることは勿論である。図４及び図５の実施形態では、連動部材３２を左右等に複数本で構成することもある。【００２９】  図６は、連動部材３２を、そり板４１上に１枚あるいは複数枚の縦リブ４２を一体化して構成できる。この場合、縦リブ４２に通孔４３を形成してこれにリンクを直接連結することができる。【００３０】  図７は、縦リブ４２に補助板４５を付してリンク２５を連結するようにした実施形態を示す。図８は、連結部材３２をアングル材とし、同部材３２の適宜個所に突片４７を備えてリンク２５を連結した実施形態を示す。図９は、堰を緩やかに作動させるため押し上げカム部３３ａをできるだけ緩やかな斜面にした実施形態で、仮想線のように凹み状の湾曲ラインにすることもできる。【００３１】  図１０は、堰１４がトラフ１２からみて外向き斜めに突出した実施形態で、側板１５の内あるいは外側面にローラーガイド４９を備え、トラフ１２側からステー５０を突設してある。ステー５０には、伝達レバー５１を支持し、同レバー５１の下端のローラー５２をローラーガイド４９内に、またレバー５１の上端に連動部材３２の後端のローラー５３が常時当たるようになっている。【００３２】  連動部材３２にローラー９が作用することでローラー５３を介して伝達レバー５１が押され、下端のローラー５２がローラーガイド４９内を転動することで側板１５を前向きに動かし、堰１４を沈める。連動部材３２が下がると伝達レバー５１の押しが解除されて堰１４は浮上する。尚、堰１４の浮上を促す手段を前記のように付することがある。尚、仮想線のように、押し上げカム部３３ａは垂直な面にすることができる。カム部分３３には凹み５４を形成することもできる。側板１５にはローラー５５を備え、このローラー５５を押し上げるように連動部材３２の後部を仮想線のように形成することもできる。【００３３】  図１１は、図８のアングル材を逆向きにしてその一片突部にローラー９が接触するようにした連動部材３２で、その上面のブラケット５８を介してリンク２５を連結したり、下側に補助ブラケット５９を付すことでリンク２５を連結することができる。後者の場合、アングルに通孔を開けておいてリンク２５を動くようにすることができる。【００３４】  図１２は、アングル材をその頂点が上向きになるようにして連動部材３２を構成し、同連動部材３２からブラケット６１を突設してリンク２５を連結したり、アングル材の底面に受板６２や長手方向に向く長ロッドを付したりする実施形態を示す。図１３は、１枚の帯長板により連動部材３２を形成したもので、同連動部材３２に受筒６４を固定し、同受筒６４に軸６５を通してリンク２５を連結するようにしたものである。尚、１枚板であるので、その下端には左右あるいは一側に補助板６６や補助ロッド６７を溶接固定あるいは移動調節可能に装着してもよい。図１４は、左右１対の帯長板をスペーサ７０を介して溶接あるいは止着一体化して連動部材３２を構成したもので、同連動部材３２には、高スペーサ７１に孔を開けておいてリンクを連結したり、仮想線のように、連動部材３２自体に孔を開けておいて帯長板間にリンクを挟み込むようにしてリンクを連結することができるし、帯長板から前記スペーサ７０にも孔を開けておいてリンクを連結するようにすることができる。【００３５】  前記実施形態では連動部材３２が平行リンクで水平なまま上下するようになっていたが、図１５及び図１６に示すように、長リンク７３と短リンク７４の組み合わせにより特殊な軌道で上下するようにしてもよい。図１５の場合、前方が長リンク７３で、図１６の場合、後方が長リンク７３になっている。図１５の場合、後下がりの連動部材３２として待機し、ローラー９により水平に持ち上げられるものであり、図１６の場合、前下がりの連動部材３２として待機し、ローラー９により水平に持ち上げられるものである。特に、図１５の実施形態の場合、連動部材３２上のスカムを右方向へ押しやる機能をももつ。図１６の実施形態の場合もそうした機能もある。【００３６】  図１７は、先端が半丸状の押し上げカム部３３ａとされた連動部材３２であるが、特に、同連動部材３２の上面にノコ歯状のスカム送り片７６．．．を装備して堰の連動とともにスカムの送り機能をももたせたものである。【００３７】  図１８は、カム部分３３と伝達部分３４とを分離連結式に構成したものである。カム部分３３の上にはスカム送り片７８．．．を装備してもよい。リンク２６を上方に延ばし、これに連結した連結ロッド７９を、トラフ１２上のアーム８０から突設したレバー８１に連結してある。そして、アーム８０に連結ロッド８２を介して堰１４に連結したものである。カム部分３３がローラー９で持ち上がると連結ロッド７９が左に引かれ、連結ロッド８２が下がることで堰１４が沈められる。堰１４の浮上は、自らの浮力や連動部材３２の重さ等によりなされる。不足の場合、ウエイトやバネ等により復帰がなされることもある。尚、この実施形態では、レバー８１に連結ロッド７９が連結されているが、同ロッド７９は、仮想線のようにローラー９が逆回転により連動部材３２を作動させた場合には、連結ロッド７９が右方向に応動するが、同ロッド７９はレバー８１の孔に摺動することでレバー８１を動かすことはない。【００３８】  図１９は、図１８のスカム送り片７８の具体的な実施形態を示すもので、一方向には送り面７��ａが作用するが他方向にはスカムが逃げるようになった上からみて三角柱のものになっている。【００３９】  図２０は、堰１４上あるいは前記１４自体に水タンク８５を備えて給水チューブ８６を介して同タンク８５に水を供給したり停止したりする水駆動方式のスカム除去装置についての実施形態で、同装置は、チューブ８６からタンク８５に水を供給することで重くなって堰１４が沈み、そののち、給水がカットされるとともにタンク８５の孔からの微少の排水により次第に堰１４は軽くなって浮上するという繰り返しにより作動するものである。この場合、チューブ８６には、従来機械式の開閉バルブが設けられていたため、これを作動させるのに作動抵抗が大きく種々の不都合を招いていたのであるが、この実施形態では、図２１に示すように、チューブ８６の中間に弾性変形で圧潰及び復元可能な材質のチューブ式バルブ８７を介装し、このバルブ８７をバネ付（バネ無でもよい）クリッパ８８で開閉自在にし、更にそのクリッパ８８を連動部材３２の強い力で開閉応動させるようにしたものである。クリッパ８８は図２１において逆向きにしてもよい。【００４０】  図２２及び図２３は、フライト６の側方域と側壁１との間が空くことによりそこにスカムが滞留しがちになり、そのことからこれらのスカムを積極的にスカム誘引導出装置１０の方向へと誘導するようにした実施形態を示すもので、特に、フライト６の動力を利用して連動させるようにしたものである。すなわち、前記側方域の上方には前後１対のホイール９０が水平軸状に設けられ、これらの間に無端伝動部材９１を掛け渡して同無端伝動部材９１の外周にフライト６で同行駆動される突片９２．．．を複数枚配備したものである。この実施形態ではホイール９０及び無端伝動部材９１がタイミングベルト方式のものとされ、突片９２．．．もベルトに一体のものあるいは一体のものに別途羽根を装着するタイプにすることができるものになっている。しかし、チェーン、ワイヤロープその他の無端伝動部材を使用してもよい。尚、突片９２．．．とフライト６．．．とは互いに干渉しない関係に配置する必要がある。例えば、仮想線のように、突片９２の先行するものａが中間軸上から外れる時点で後行するものｂが駆動軸上にきているようなタイミングにすれば干渉はない。その他、突片９２．．．の間隔とフライト６．．．の間隔とを少しずつずらせる方法でもよい。また、図の左側のホイール９０を図示よりも少し高くし次第にフライト６．．．間に入り込むようなものにしてもよい。尚、突片９２．．．は弾性変形可能なゴム等で形成してもよい。９３はタイトナで、重り９４により自動で張力を維持するようになっている。他の機構でもよい。さらには、図２３に示すように、スカム送り装置は池の左右に配備してもよい。【００４１】  図２３には付加的な例が仮想線で示されている。すなわち、ホイール９０の一方の回転軸９５を池幅間に横架し、補助軸９６も平行に横架して、これらの間に別のホイール９６．．．を介して無端伝動部材９７．．．を池幅間にあるようにして走行体たもので、フライト６．．．が水面下に潜ったあとで掻き寄せられなくなったスカムを無端伝動部材９７．．．の突片９８．．．によりスカム誘引導��装置１０の方向に掻き寄せるものになっている。無端伝動部材９７は左右１対になっているが、これを統合してもよい。１００は壁擦り材である。【００４２】  尚、図２３に仮想線で示すように、スカム誘引導出装置１０の前側脇にはスカムを堰１４の方向に導くためのガイド板９９を配備してもよい。【００４３】  図２４及び図２５は、フライト６の側方域に溜まりがちなスカムをスカム誘引導出装置１０の方向に掻き寄せるとともにスカム誘引導出装置１０をも連動可能にした実施形態を示す。同実施形態では中間軸３がスプロケット４とともに回転する形式になっており、それゆえ、中間軸３の両端に駆動ホイール１０１を装着すればそのままで同ホイール１０１は同行回転可能になる。駆動ホイール１０１は、中間軸３が既設の場合には、周方向に分割で合体装着式のものにする。【００４４】  この駆動ホイール１０１の前後に離れた位置には、１対のホイール１０２が設けられ、これらの間にタイミングベルト等の無端伝動部材１０３を掛け渡してある。同無端伝動部材１０３の外周には前記実施形態のようにベルトに一体の突片によりあるいは突片に別途羽根を付す等の方法により突片１０４．．．が複数配備されている。【００４５】  中間軸３は図２４において右回りに回転し、駆動ホイール１０１を介して無端伝動部材１０３も右回りにまた突片１０４．．．も右回りに循環運動する。同突片１０４．．．は丁度水面２を境にスカム誘引導出装置１０の方向に強制駆動されるので、水面２上のスカムは順次同装置１０に誘引導出されるようになる。それとともに、装置１０側のホイール１０２の回転軸１０５には、図２４のようなカム１０６を装着しておき、同カム１０６により上下するアーム１０７に連結ロッド１０８を介して堰１０４を上下させるようになっている。堰１０４には水圧がかかっているので、カム１０６により堰１４の上下運動は強制的なものになる。尚、回転軸１０５及び補助軸１０９により池幅間掻寄装置１１０をも連動可能にしてもよい。堰１４は前向きでもよい。【００４６】  図２６は、中間軸３が固定軸である場合の例を示し、駆動されるスプロケット４に止着具１１２により合体する同行回転体１１３を横付け式に一体化する。同回転体１１３は、一端にスプロケット４への装着盤部１１４を備え、他端にはホイール部１１５を一体に備えるもので、これらの間を胴部１１６で継いで全体として一体のものにしてある。同回転体１１３は図示しないが周方向に半割り合体式であり、後付けも可能になっている。尚、胴部１１６とホイール部１１５とは別体で合体可能にしてもよい。【００４７】  図２７は、トラフ１２の底あるいは前面から前方にステー１１８を張り出し、これに前記ホイール１１９を回転自在に支持したものである。
【発明の効果】
【００４８】  この発明は以上のように構成されているので、運転費用が少なくて済むスカム除去装置を提供することができる。
【図面の簡単な説明】
【図１】この発明の一実施形態を示す側断面図。
【図２】図１の平面図
【図３】図１の作動を説明する側断面図。
【図４】連動部材の横断面図。
【図５】連動部材が丸パイプである他の実施形態を示す横断面図。
【図６】連動部材の他の実施形態を示す斜視図。
【図７】図６の実施形態の変形例を示す側面図。
【図８】アングル使用の連動部材を示す横断面図。
【図９】押し上げカム部の他の実施形態を示す側面図。
【図１０】堰が前突出式のスカム誘引導出装置に対する実施形態を示す側断面図。
【図１１】連動部材がアングル材である他の実施形態を示す断面図。
【図１２】アングル材を連動部材とした他の実施形態を示す断面図。
【図１３】１枚板でなる連動部材を示す正面図。
【図１４】１対の帯長板で形成した連動部材を示す斜視図。
【図１５】非平行運動をする連動部材についての一実施形態を示す模式図。
【図１６】非平行運動をする連動部材についての他の実施形態を示す模式図。
【図１７】スカム送り手段の一例を示す模式図。
【図１８】カム部分と伝達部分とが分離しかつ逆駆動許容機構にした例を示す模式図。
【図１９】スカム送り手段の具体例を示す斜視図。
【図２０】水駆動式スカム誘引導出装置の概要図。
【図２１】同水駆動式のバルブについての具体例を示す斜視図。
【図２２】スカム送り手段についての一例を示す側面模式図。
【図２３】図２２の平面図。
【図２４】スカム送り手段によりスカム誘引導出装置を連動させるようにした例を図２４のＡ−Ａ線に対応して示す側面模式図。
【図２５】図２４の平面図。
【図２６】回転軸が固定式の場合の同行回転運動を取る例を示す半断面図。
【図２７】トラフにホイールを支持させた例を示す模式図。
【符号の説明】
２…水面  ６…フライト  １０…スカム誘引導出装置  １４…堰（堰手段）  ２５，２６…リンク（案内支持手段）  ３２…連動部材  ３３…カム部分  ３４…伝達部分。
【図１】
2008260007.tif 000003
【図２】
2008260007.tif 000004
【図３】
2008260007.tif 000005
【図４】
2008260007.tif 000006
【図５】
2008260007.tif 000007
【図６】
2008260007.tif 000008
【図７】
2008260007.tif 000009
【図８】
2008260007.tif 000010
【図９】
2008260007.tif 000011
【図１０】
2008260007.tif 000012
【図１１】
2008260007.tif 000013
【図１２】
2008260007.tif 000014
【図１３】
2008260007.tif 000015
【図１４】
2008260007.tif 000016
【図１５】
2008260007.tif 000017
【図１６】
2008260007.tif 000018
【図１７】
2008260007.tif 000019
【図２４】
2008260007.tif 000020
【図２５】
2008260007.tif 000021
【図２６】
2008260007.tif 000022
【図２７】
2008260007.tif 000023